(57)【要約】【課題】乗り過ごしを防止することができる通信システム、制御方法及びプログラムを提供すること。【解決手段】携帯端末装置１０は、開始時刻と到着場所を含むスケジュール情報を設定するスケジュール情報設定部１１と、ＧＰＳ情報を取得するＧＰＳ情報取得部１２と、スケジュール情報とＧＰＳ情報を送信する第１の送信部１３と、送信されてきた運行情報を受信する第１の受信部１４と、運行情報に基づいて、アラームの報知時刻を設定するアラーム報知時刻設定部１５と、を備える。サーバ３０は、送信されてきたスケジュール情報とＧＰＳ情報を受信する第３の受信部３１と、到着場所と、ＧＰＳ情報からユーザの移動手段を推定する推定部３２と、開始時刻と、現在の時刻に基づいて、移動手段の運行情報を取得する取得部３３と、運行情報を送信する第３の送信部３４と、を備える。【選択図】図１
2013135299.tif 000002
【特許請求の範囲】
【請求項１】
携帯端末装置と、サーバと、前記携帯端末装置及び前記サーバの間で通信を行う基地局とから構成される通信システムにおいて、
前記携帯端末装置は、
開始時刻と到着場所を含むスケジュール情報を設定するスケジュール情報設定部と、
ＧＰＳ情報を取得するＧＰＳ情報取得部と、
前記スケジュール情報と前記ＧＰＳ情報を前記基地局に送信する第１の送信部と、
前記基地局から送信されてきた運行情報を受信する第１の受信部と、
前記運行情報に基づいて、アラームの報知時刻を設定するアラーム報知時刻設定部と、を備え、
前記基地局は、
前記携帯端末装置から前記スケジュール情報と前記ＧＰＳ情報を受信する第２の受信部と、
前記スケジュール情報と前記ＧＰＳ情報を前記サーバに送信する第２の送信部と、を備え、
前記サーバは、
前記第２の送信部から送信されてきた前記スケジュール情報と前記ＧＰＳ情報を受信する第３の受信部と、
前記スケジュール情報に含まれている到着場所と、前記ＧＰＳ情報からユーザの移動手段を推定する推定部と、
前記スケジュール情報に含まれている開始時刻と、現在の時刻に基づいて、前記移動手段の運行情報を取得する取得部と、
前記運行情報を前記基地局に送信する第３の送信部と、を備え、
前記第２の受信部は、前記第３の送信部から送信されてきた前記運行情報を受信し、
前記第２の送信部は、前記運行情報を前記携帯端末装置に送信し、
前記アラーム報知時刻設定部は、前記第２の送信部から送信されてきた前記運行情報に基づいて、前記移動手段が所定の停車場所に停車する停車時刻を求め、当該停車時刻から所定時間だけ遡った時刻を、前記アラームの報知時刻として設定する通信システム。
【請求項２】
前記携帯端末装置は、
前記アラーム報知時刻設定部による設定が完了してから、所定時間経過後に、前記ＧＰＳ情報取得部により取得させた現在のＧＰＳ情報と、前記スケジュール情報設定部に設定されている現在のスケジュール情報とを、前記第１の送信部から前記基地局に送信するように制御するポーリング管理部を備える請求項１記載の通信システム。
【請求項３】
前記ポーリング管理部は、前記ＧＰＳ情報に基づいて、前記スケジュール情報に含まれている到着場所と現在位置の距離に基づいて、前記所定時間の間隔を伸長又は短縮する請求項２記載の通信システム。
【請求項４】
前記携帯端末装置は、
前記スケジュール情報設定部によるスケジュール設定が削除された場合には、前記アラーム報知時刻設定部により設定されているアラームを解除するアラーム解除部を備える請求項１から３いずれか一項に記載の通信システム。
【請求項５】
携帯端末装置と、サーバと、前記携帯端末装置及び前記サーバとの間で通信を行う基地局とから構成される通信システムにおいて、
前記携帯端末装置は、
開始時刻と到着場所を含むスケジュール情報を設定するスケジュール情報設定部と、
前記スケジュール情報を前記基地局に送信する第１の送信部と、
前記基地局から送信されてきた運行情報を受信する第１の受信部と、
前記運行情報に基づいて、アラームの報知時刻を設定するアラーム報知時刻設定部と、を備え、
前記基地局は、
自身を示す固有の識別情報を記憶する記憶部と、
前記携帯端末装置から前記スケジュール情報を受信する第２の受信部と、
前記記憶部から前記識別情報を読み出す読出部と、
前記スケジュール情報とともに前記読出部で読み出した前記識別情報を前記サーバに送信する第２の送信部と、を備え、
前記サーバは、
前記第２の送信部から送信されてきた前記スケジュール情報と前記識別情報を受信する第３の受信部と、
前記識別情報に基づいて、前記基地局の配置場所情報を検索する検索部と、
前記配置場所情報に基づいて、前記携帯端末装置の現在位置を推定する第１の推定部と、
前記スケジュール情報に含まれている到着場所と、推定した前記携帯端末装置の現在位置からユーザの移動手段を推定する第２の推定部と、
前記スケジュール情報に含まれている開始時刻と、現在時刻に基づいて、前記移動手段の運行情報を取得する取得部と、
前記運行情報を前記基地局に送信する第３の送信部と、を備え、
前記第２の受信部は、前記第３の送信部から送信されてきた前記運行情報を受信し、
前記第２の送信部は、前記運行情報を前記携帯端末装置に送信し、
前記アラーム報知時刻設定部は、前記第２の送信部から送信されてきた前記運行情報に基づいて、前記移動手段が所定の停車場所に停車する停車時刻を求め、当該停車時刻から所定時間だけ遡った時刻を、前記アラームの報知時刻として設定する通信システム。
【請求項６】
携帯端末装置と、サーバと、前記携帯端末装置及び前記サーバとの間で通信を行う基地局とから構成される通信システムの制御方法において、
前記携帯端末装置は、
開始時刻と到着場所を含むスケジュール情報を設定するスケジュール情報設定工程と、
ＧＰＳ情報を取得するＧＰＳ情報取得工程と、
前記スケジュール情報と前記ＧＰＳ情報を前記基地局に送信する第１の送信工程と、
前記基地局から送信されてきた運行情報を受信する第１の受信工程と、
前記運行情報に基づいて、アラームの報知時刻を設定するアラーム報知時刻設定工程と、を備え、
前記基地局は、
前記第１の送信工程から送信されてきた前記スケジュール情報と前記ＧＰＳ情報を受信する第２の受信工程と、
前記スケジュール情報と前記ＧＰＳ情報を前記サーバに送信する第２の送信工程と、を備え、
前記サーバは、
前記第２の送信工程から送信されてきた前記スケジュール情報と前記ＧＰＳ情報を受信する第３の受信工程と、
前記スケジュール情報に含まれている到着場所と、前記ＧＰＳ情報からユーザの移動手段を推定する推定工程と、
前記スケジュール情報に含まれている開始時刻と、現在時刻に基づいて、前記移動手段の運行情報を取得する取得工程と、
前記運行情報を前記基地局に送信する第３の送信工程を備え、
前記第２の受信工程は、前記第３の送信工程から送信されてきた前記運行情報を受信し、
前記第２の送信工程は、前記運行情報を前記携帯端末装置に送信し、
前記アラーム報知時刻設定工程は、前記第２の送信工程から送信されてきた前記運行情報に基づいて、前記移動手段が所定の停車場所に停車する停車時刻を求め、当該停車時刻から所定時間だけ遡った時刻を、前記アラームの報知時刻として設定する制御方法。
【請求項７】
携帯端末装置と、サーバと、前記携帯端末装置及び前記サーバとの間で通信を行う基地局とから構成される通信システムの制御方法において、
前記携帯端末装置は、
開始時刻と到着場所を含むスケジュール情報を設定するスケジュール情報設定工程と、
前記スケジュール情報を前記基地局に送信する第１の送信工程と、
前記基地局から送信されてきた運行情報を受信する第１の受信工程と、
前記運行情報に基づいて、アラームの報知時刻を設定するアラーム報知時刻設定工程を備え、
前記基地局は、
前記第１の送信工程により送信されてきた前記スケジュール情報を受信する第２の受信工程と、
自身を示す固有の識別情報が記憶されている記憶部から前記識別情報を読み出す読出工程と、
前記スケジュール情報とともに前記読出工程で読み出した前記識別情報を前記サーバに送信する第２の送信工程と、を備え、
前記サーバは、
前記第２の送信工程から送信されてきた前記スケジュール情報と前記識別情報を受信する第３の受信工程と、
前記識別情報に基づいて、前記基地局の配置場所情報を検索する検索工程と、
前記配置場所情報に基づいて、前記携帯端末装置の現在位置を推定する第１の推定工程と、
前記スケジュール情報に含まれている到着場所と、推定した前記携帯端末装置の現在位置からユーザの移動手段を推定する第２の推定工程と、
前記スケジュール情報に含まれている開始時刻と、現在時刻に基づいて、前記移動手段の運行情報を取得する取得工程と、
前記運行情報を前記基地局に送信する第３の送信工程と、を備え、
前記第２の受信工程は、前記第３の送信工程から送信されてきた前記運行情報を受信し、
前記第２の送信工程は、前記運行情報を前記携帯端末装置に送信し、
前記アラーム報知時刻設定工程は、前記第２の送信工程から送信されてきた前記運行情報に基づいて、前記移動手段が所定の停車場所に停車する停車時刻を求め、当該停車時刻から所定時間だけ遡った時刻を、前記アラームの報知時刻として設定する制御方法。
【請求項８】
携帯端末装置と、サーバと、前記携帯端末装置及び前記サーバとの間で通信を行う基地局とから構成される通信システムの制御をコンピュータに実行させるプログラムであって、
前記携帯端末装置において、
開始時刻と到着場所を含むスケジュール情報を設定するスケジュール情報設定工程と、
ＧＰＳ情報を取得するＧＰＳ情報取得工程と、
前記スケジュール情報と前記ＧＰＳ情報を前記基地局に送信する第１の送信工程と、
前記基地局から送信されてきた運行情報を受信する第１の受信工程と、
前記運行情報に基づいて、アラームの報知時刻を設定するアラーム報知時刻設定工程と、をコンピュータに実行させ、
前記基地局において、
前記第１の送信工程により送信されてきた前記スケジュール情報と前記ＧＰＳ情報を受信する第２の受信工程と、
前記スケジュール情報と前記ＧＰＳ情報を前記サーバに送信する第２の送信工程と、をコンピュータに実行させ、
前記サーバにおいて、
前記第２の送信工程から送信されてきた前記スケジュール情報と前記ＧＰＳ情報を受信する第３の受信工程と、
前記スケジュール情報に含まれている到着場所と、前記ＧＰＳ情報からユーザの移動手段を推定する推定工程と、
前記スケジュール情報に含まれている開始時刻と、現在時刻に基づいて、前記移動手段の運行情報を取得する取得工程と、
前記運行情報を前記基地局に送信する第３の送信工程を、コンピュータに実行させ、
前記第２の受信工程は、前記第３の送信工程から送信されてきた前記運行情報を受信し、
前記第２の送信工程は、前記運行情報を前記携帯端末装置に送信し、
前記アラーム報知時刻設定工程は、前記第２の送信工程から送信されてきた前記運行情報に基づいて、前記移動手段が所定の停車場所に停車する停車時刻を求め、当該停車時刻から所定時間だけ遡った時刻を、前記アラームの報知時刻として設定するプログラム。
【請求項９】
携帯端末装置と、サーバと、前記携帯端末装置及び前記サーバとの間で通信を行う基地局とから構成される通信システムの制御をコンピュータに実行させるプログラムであって、
前記携帯端末装置において、
開始時刻と到着場所を含むスケジュール情報を設定するスケジュール情報設定工程と、
前記スケジュール情報を前記基地局に送信する第１の送信工程と、
前記基地局から送信されてきた運行情報を受信する第１の受信工程と、
前記運行情報に基づいて、アラームの報知時刻を設定するアラーム報知時刻設定工程と、をコンピュータに実行させ、
前記基地局において、
前記第１の送信工程により送信されてきた前記スケジュール情報を受信する第２の受信工程と、
自身を示す固有の識別情報が記憶されている記憶部から前記識別情報を読み出す読出工程と、
前記スケジュール情報とともに前記読出工程で読み出した前記識別情報を前記サーバに送信する第２の送信工程と、をコンピュータに実行させ、
前記サーバにおいて、
前記第２の送信工程から送信されてきた前記スケジュール情報と前記識別情報を受信する第３の受信工程と、
前記識別情報に基づいて、前記基地局の配置場所情報を検索する検索工程と、
前記配置場所情報に基づいて、前記携帯端末装置の現在位置を推定する第１の推定工程と、
前記スケジュール情報に含まれている到着場所と、推定した前記携帯端末装置の現在位置からユーザの移動手段を推定する第２の推定工程と、
前記スケジュール情報に含まれている開始時刻と、現在時刻に基づいて、前記移動手段の運行情報を取得する取得工程と、
前記運行情報を前記基地局に送信する第３の送信工程と、をコンピュータに実行させ、
前記第２の受信工程は、前記第３の送信工程から送信されてきた前記運行情報を受信し、
前記第２の送信工程は、前記運行情報を前記携帯端末装置に送信し、
前記アラーム報知時刻設定工程は、前記第２の送信工程から送信されてきた前記運行情報に基づいて、前記移動手段が所定の停車場所に停車する停車時刻を求め、当該停車時刻から所定時間だけ遡った時刻を、前記アラームの報知時刻として設定するプログラム。
【発明の詳細な説明】
【技術分野】
【０００１】
本発明は、基地局を介して携帯端末装置とサーバ間で通信を行う通信システム、その制御方法及びプログラムに関する。
【背景技術】
【０００２】
携帯端末装置に搭載されている目覚まし機能は、宅内や滞在先において目覚まし時計として使用する他に、電車等の乗り過ごしを防止する目的で使用されるケースがある。このようなケースでは、スケジュール機能と連携させることで、より効率的な使い方が期待できる。
【０００３】
例えば、特許文献１は、スケジュール情報を利用して目覚まし機能の設定を行う提案がされている。具体的には、この特許文献１では、いくつかの時間情報（イベント開始時刻や移動・準備に必要な時間情報等）を与えて自動的に目覚まし機能を設定する技術が提案されている。
【先行技術文献】
【特許文献】
【０００４】
【特許文献１】特開２０１１−１６３８６０号公報
【発明の概要】
【発明が解決しようとする課題】
【０００５】
しかしながら、特許文献１は、イベントそのものの情報（イベント開始時刻や実施場所等）をスケジュール機能に連携させることによって、起床時間のアラーム設定を自動的に行うのみである。
【０００６】
例えば、特許文献１を応用しても、現在位置から目的地までの移動手段に関する情報や、移動に関する時間情報等と連携して、アラームを設定し、降車駅等の乗り過ごしを防止するようなことはできない。
【０００７】
本発明は、スケジュール機能とアラーム機能の連携を強化して、ユーザの操作負担の軽減を図りつつ、乗り過ごしを防止することができる通信システム、制御方法及びプログラムを提供することを目的の一つとする。
【課題を解決するための手段】
【０００８】
本発明に係る通信システムは、上記課題を解決するために、携帯端末装置と、サーバと、携帯端末装置及びサーバの間で通信を行う基地局とから構成される通信システムにおいて、携帯端末装置は、開始時刻と到着場所を含むスケジュール情報を設定するスケジュール情報設定部と、ＧＰＳ情報を取得するＧＰＳ情報取得部と、スケジュール情報とＧＰＳ情報を基地局に送信する第１の送信部と、基地局から送信されてきた運行情報を受信する第１の受信部と、運行情報に基づいて、アラームの報知時刻を設定するアラーム報知時刻設定部と、を備え、基地局は、携帯端末装置からスケジュール情報とＧＰＳ情報を受信する第２の受信部と、スケジュール情報とＧＰＳ情報をサーバに送信する第２の送信部と、を備え、サーバは、第２の送信部から送信されてきたスケジュール情報とＧＰＳ情報を受信する第３の受信部と、スケジュール情報に含まれている到着場所と、ＧＰＳ情報からユーザの移動手段を推定する推定部と、スケジュール情報に含まれている開始時刻と、現在の時刻に基づいて、移動手段の運行情報を取得する取得部と、運行情報を基地局に送信する第３の送信部と、を備え、第２の受信部は、第３の送信部から送信されてきた運行情報を受信し、第２の送信部は、運行情報を携帯端末装置に送信し、アラーム報知時刻設定部は、第２の送信部から送信されてきた運行情報に基づいて、移動手段が所定の停車場所に停車する停車時刻を求め、当該停車時刻から所定時間だけ遡った時刻を、アラームの報知時刻として設定する構成にした。
【０００９】
このような構成によれば、通信システムは、サーバにおいて、スケジュール情報に含まれている到着場所と、ＧＰＳ情報からユーザの移動手段を推定し、スケジュール情報に含まれている開始時刻と、現在の時刻に基づいて、移動手段の運行情報を取得し、当該運行情報を基地局に送信し、また、携帯端末装置において、基地局から送信されてきた運行情報に基づいて、移動手段が所定の停車場所に停車する停車時刻を求め、当該停車時刻から所定時間だけ遡った時刻を、アラームの報知時刻として設定するので、簡易に乗り過ごしを防止することができる。
【００１０】
また、通信システムでは、携帯端末装置は、アラーム報知時刻設定部による設定が完了してから、所定時間経過後に、ＧＰＳ情報取得部により取得させた現在のＧＰＳ情報と、スケジュール情報設定部に設定されている現在のスケジュール情報とを、第１の送信部から基地局に送信するように制御するポーリング管理部を備える構成でも良い。
【００１１】
このような構成によれば、通信システムは、運行情報を所定時間の間隔で更新するので、アラームの報知時刻の設定を所定時間の間隔で変更することができ、不測の事態に対応しつつ、乗り過ごしを防止することができる。
【００１２】
また、通信システムでは、ポーリング管理部は、ＧＰＳ情報に基づいて、スケジュール情報に含まれている到着場所と現在位置の距離に基づいて、所定時間の間隔を伸長又は短縮する構成でも良い。
【００１３】
このような構成によれば、通信システムは、例えば、現在位置が到着場所に接近するほど所定の時間間隔を短縮することにより、正確な運行情報に基づいてアラームの報知時刻を修正することができるので、正確に乗り過ごしを防止することができる。また、通信システムは、例えば、現在位置が到着場所から遠いほど所定の時間間隔を伸長することにより、処理負担の軽減を図ることができる。
【００１４】
また、通信システムでは、携帯端末装置は、スケジュール情報設定部によるスケジュール設定が削除された場合には、アラーム報知時刻設定部により設定されているアラームを解除するアラーム解除部を備える構成でも良い。
【００１５】
このような構成によれば、通信システムは、ユーザがスケジュールの削除操作を行ったことに連動してアラームを解除するので、スケジュールが無くなったのに設定時刻にアラームが報知されるような状況を回避することができる。
【００１６】
本発明に係る通信システムは、上記課題を解決するために、携帯端末装置と、サーバと、携帯端末装置及びサーバとの間で通信を行う基地局とから構成される通信システムにおいて、携帯端末装置は、開始時刻と到着場所を含むスケジュール情報を設定するスケジュール情報設定部と、スケジュール情報を基地局に送信する第１の送信部と、基地局から送信されてきた運行情報を受信する第１の受信部と、運行情報に基づいて、アラームの報知時刻を設定するアラーム報知時刻設定部と、を備え、基地局は、自身を示す固有の識別情報を記憶する記憶部と、携帯端末装置からスケジュール情報を受信する第２の受信部と、記憶部から識別情報を読み出す読出部と、スケジュール情報とともに読出部で読み出した識別情報をサーバに送信する第２の送信部と、を備え、サーバは、第２の送信部から送信されてきたスケジュール情報と識別情報を受信する第３の受信部と、識別情報に基づいて、基地局の配置場所情報を検索する検索部と、配置場所情報に基づいて、携帯端末装置の現在位置を推定する第１の推定部と、スケジュール情報に含まれている到着場所と、推定した携帯端末装置の現在位置からユーザの移動手段を推定する第２の推定部と、スケジュール情報に含まれている開始時刻と、現在時刻に基づいて、移動手段の運行情報を取得する取得部と、運行情報を基地局に送信する第３の送信部と、を備え、第２の受信部は、第３の送信部から送信されてきた運行情報を受信し、第２の送信部は、運行情報を携帯端末装置に送信し、アラーム報知時刻設定部は、第２の送信部から送信されてきた運行情報に基づいて、移動手段が所定の停車場所に停車する停車時刻を求め、当該停車時刻から所定時間だけ遡った時刻を、アラームの報知時刻として設定する構成にした。
【００１７】
このような構成によれば、通信システムは、サーバにおいて、スケジュール情報に含まれている到着場所と、推定した携帯端末装置の現在位置からユーザの移動手段を推定し、スケジュール情報に含まれている開始時刻と、現在の時刻に基づいて、移動手段の運行情報を取得し、当該運行情報を基地局に送信し、また、携帯端末装置において、基地局から送信されてきた運行情報に基づいて、移動手段が所定の停車場所に停車する停車時刻を求め、当該停車時刻から所定時間だけ遡った時刻を、アラームの報知時刻として設定するので、簡易に乗り過ごしを防止することができる。
【００１８】
また、通信システムは、基地局の配置場所情報から携帯端末装置の現在位置を推定するので、携帯端末装置にＧＰＳの取得機能が無い場合や、ＧＰＳ情報を取得することができない場合でも、アラームの報知時刻を設定することができる。
【００１９】
本発明に係る制御方法は、上記課題を解決するために、携帯端末装置と、サーバと、携帯端末装置及びサーバとの間で通信を行う基地局とから構成される通信システムの制御方法において、携帯端末装置は、開始時刻と到着場所を含むスケジュール情報を設定するスケジュール情報設定工程と、ＧＰＳ情報を取得するＧＰＳ情報取得工程と、スケジュール情報とＧＰＳ情報を基地局に送信する第１の送信工程と、基地局から送信されてきた運行情報を受信する第１の受信工程と、運行情報に基づいて、アラームの報知時刻を設定するアラーム報知時刻設定工程と、を備え、基地局は、第１の送信工程から送信されてきたスケジュール情報とＧＰＳ情報を受信する第２の受信工程と、スケジュール情報とＧＰＳ情報をサーバに送信する第２の送信工程と、を備え、サーバは、第２の送信工程から送信されてきたスケジュール情報とＧＰＳ情報を受信する第３の受信工程と、スケジュール情報に含まれている到着場所と、ＧＰＳ情報からユーザの移動手段を推定する推定工程と、スケジュール情報に含まれている開始時刻と、現在時刻に基づいて、移動手段の運行情報を取得する取得工程と、運行情報を基地局に送信する第３の送信工程を備え、第２の受信工程は、第３の送信工程から送信されてきた運行情報を受信し、第２の送信工程は、運行情報を携帯端末装置に送信し、アラーム報知時刻設定工程は、第２の送信工程から送信されてきた運行情報に基づいて、移動手段が所定の停車場所に停車する停車時刻を求め、当該停車時刻から所定時間だけ遡った時刻を、アラームの報知時刻として設定する構成にした。
【００２０】
このような構成によれば、制御方法は、サーバにおいて、スケジュール情報に含まれている到着場所と、ＧＰＳ情報からユーザの移動手段を推定し、スケジュール情報に含まれている開始時刻と、現在の時刻に基づいて、移動手段の運行情報を取得し、当該運行情報を基地局に送信し、また、携帯端末装置において、基地局から送信されてきた運行情報に基づいて、移動手段が所定の停車場所に停車する停車時刻を求め、当該停車時刻から所定時間だけ遡った時刻を、アラームの報知時刻として設定するので、簡易に乗り過ごしを防止することができる。
【００２１】
本発明に係る制御方法は、上記課題を解決するために、携帯端末装置と、サーバと、携帯端末装置及びサーバとの間で通信を行う基地局とから構成される通信システムの制御方法において、携帯端末装置は、開始時刻と到着場所を含むスケジュール情報を設定するスケジュール情報設定工程と、スケジュール情報を基地局に送信する第１の送信工程と、基地局から送信されてきた運行情報を受信する第１の受信工程と、運行情報に基づいて、アラームの報知時刻を設定するアラーム報知時刻設定工程を備え、基地局は、第１の送信工程により送信されてきたスケジュール情報を受信する第２の受信工程と、自身を示す固有の識別情報が記憶されている記憶部から識別情報を読み出す読出工程と、スケジュール情報とともに読出工程で読み出した識別情報をサーバに送信する第２の送信工程と、を備え、サーバは、第２の送信工程から送信されてきたスケジュール情報と識別情報を受信する第３の受信工程と、識別情報に基づいて、基地局の配置場所情報を検索する検索工程と、配置場所情報に基づいて、携帯端末装置の現在位置を推定する第１の推定工程と、スケジュール情報に含まれている到着場所と、推定した携帯端末装置の現在位置からユーザの移動手段を推定する第２の推定工程と、スケジュール情報に含まれている開始時刻と、現在時刻に基づいて、移動手段の運行情報を取得する取得工程と、運行情報を基地局に送信する第３の送信工程と、を備え、第２の受信工程は、第３の送信工程から送信されてきた運行情報を受信し、第２の送信工程は、運行情報を携帯端末装置に送信し、アラーム報知時刻設定工程は、第２の送信工程から送信されてきた運行情報に基づいて、移動手段が所定の停車場所に停車する停車時刻を求め、当該停車時刻から所定時間だけ遡った時刻を、アラームの報知時刻として設定する構成にした。
【００２２】
このような構成によれば、制御方法は、サーバにおいて、スケジュール情報に含まれている到着場所と、推定した携帯端末装置の現在位置からユーザの移動手段を推定し、スケジュール情報に含まれている開始時刻と、現在の時刻に基づいて、移動手段の運行情報を取得し、当該運行情報を基地局に送信し、また、携帯端末装置において、基地局から送信されてきた運行情報に基づいて、移動手段が所定の停車場所に停車する停車時刻を求め、当該停車時刻から所定時間だけ遡った時刻を、アラームの報知時刻として設定するので、簡易に乗り過ごしを防止することができる。
【００２３】
また、制御方法は、基地局の配置場所情報から携帯端末装置の現在位置を推定するので、携帯端末装置にＧＰＳの取得機能が無い場合や、ＧＰＳ情報を取得することができない場合でも、アラームの報知時刻を設定することができる。
【００２４】
本発明に係るプログラムは、上記課題を解決するために、携帯端末装置と、サーバと、携帯端末装置及びサーバとの間で通信を行う基地局とから構成される通信システムの制御をコンピュータに実行させるプログラムであって、携帯端末装置において、開始時刻と到着場所を含むスケジュール情報を設定するスケジュール情報設定工程と、ＧＰＳ情報を取得するＧＰＳ情報取得工程と、スケジュール情報とＧＰＳ情報を基地局に送信する第１の送信工程と、基地局から送信されてきた運行情報を受信する第１の受信工程と、運行情報に基づいて、アラームの報知時刻を設定するアラーム報知時刻設定工程と、をコンピュータに実行させ、基地局において、第１の送信工程により送信されてきたスケジュール情報とＧＰＳ情報を受信する第２の受信工程と、スケジュール情報とＧＰＳ情報をサーバに送信する第２の送信工程と、をコンピュータに実行させ、サーバにおいて、第２の送信工程から送信されてきたスケジュール情報とＧＰＳ情報を受信する第３の受信工程と、スケジュール情報に含まれている到着場所と、ＧＰＳ情報からユーザの移動手段を推定する推定工程と、スケジュール情報に含まれている開始時刻と、現在時刻に基づいて、移動手段の運行情報を取得する取得工程と、運行情報を基地局に送信する第３の送信工程を、コンピュータに実行させ、第２の受信工程は、第３の送信工程から送信されてきた運行情報を受信し、第２の送信工程は、運行情報を携帯端末装置に送信し、アラーム報知時刻設定工程は、第２の送信工程から送信されてきた運行情報に基づいて、移動手段が所定の停車場所に停車する停車時刻を求め、当該停車時刻から所定時間だけ遡った時刻を、アラームの報知時刻として設定する。
【００２５】
このような構成によれば、プログラムは、サーバにおいて、スケジュール情報に含まれている到着場所と、ＧＰＳ情報からユーザの移動手段を推定し、スケジュール情報に含まれている開始時刻と、現在の時刻に基づいて、移動手段の運行情報を取得し、当該運行情報を基地局に送信し、また、携帯端末装置において、基地局から送信されてきた運行情報に基づいて、移動手段が所定の停車場所に停車する停車時刻を求め、当該停車時刻から所定時間だけ遡った時刻を、アラームの報知時刻として設定するので、簡易に乗り過ごしを防止することができる。
【００２６】
本発明に係るプログラムは、上記課題を解決するために、携帯端末装置と、サーバと、携帯端末装置及びサーバとの間で通信を行う基地局とから構成される通信システムの制御をコンピュータに実行させるプログラムであって、携帯端末装置において、開始時刻と到着場所を含むスケジュール情報を設定するスケジュール情報設定工程と、スケジュール情報を基地局に送信する第１の送信工程と、基地局から送信されてきた運行情報を受信する第１の受信工程と、運行情報に基づいて、アラームの報知時刻を設定するアラーム報知時刻設定工程と、をコンピュータに実行させ、基地局において、第１の送信工程により送信されてきたスケジュール情報を受信する第２の受信工程と、自身を示す固有の識別情報が記憶されている記憶部から識別情報を読み出す読出工程と、スケジュール情報とともに読出工程で読み出した識別情報をサーバに送信する第２の送信工程と、をコンピュータに実行させ、サーバにおいて、第２の送信工程から送信されてきたスケジュール情報と識別情報を受信する第３の受信工程と、識別情報に基づいて、基地局の配置場所情報を検索する検索工程と、配置場所情報に基づいて、携帯端末装置の現在位置を推定する第１の推定工程と、スケジュール情報に含まれている到着場所と、推定した携帯端末装置の現在位置からユーザの移動手段を推定する第２の推定工程と、スケジュール情報に含まれている開始時刻と、現在時刻に基づいて、移動手段の運行情報を取得する取得工程と、運行情報を基地局に送信する第３の送信工程と、をコンピュータに実行させ、第２の受信工程は、第３の送信工程から送信されてきた運行情報を受信し、第２の送信工程は、運行情報を携帯端末装置に送信し、アラーム報知時刻設定工程は、第２の送信工程から送信されてきた運行情報に基づいて、移動手段が所定の停車場所に停車する停車時刻を求め、当該停車時刻から所定時間だけ遡った時刻を、アラームの報知時刻として設定する。
【００２７】
このような構成によれば、プログラムは、サーバにおいて、スケジュール情報に含まれている到着場所と、推定した携帯端末装置の現在位置からユーザの移動手段を推定し、スケジュール情報に含まれている開始時刻と、現在の時刻に基づいて、移動手段の運行情報を取得し、当該運行情報を基地局に送信し、また、携帯端末装置において、基地局から送信されてきた運行情報に基づいて、移動手段が所定の停車場所に停車する停車時刻を求め、当該停車時刻から所定時間だけ遡った時刻を、アラームの報知時刻として設定するので、簡易に乗り過ごしを防止することができる。
【００２８】
また、プログラムは、基地局の配置場所情報から携帯端末装置の現在位置を推定するので、携帯端末装置にＧＰＳの取得機能が無い場合や、ＧＰＳ情報を取得することができない場合でも、アラームの報知時刻を設定することができる。
【発明の効果】
【００２９】
本発明によれば、スケジュール機能とアラーム機能の連携を強化して、ユーザの操作負担の軽減を図りつつ、サービスを提供することができる。
【図面の簡単な説明】
【００３０】
【図１】本発明の通信システムの構成を示す図である。
【図２】本発明の通信システムの構成を示す図である。
【発明を実施するための形態】
【００３１】
以下、本発明の実施形態の一例について図を参照しながら説明する。本発明の実施形態に係る通信システム１は、図１に示すように、携帯端末装置１０と、サーバ３０と、携帯端末装置１０及びサーバ３０の間で通信を行う基地局２０とから構成される。
【００３２】
（第１実施形態）
携帯端末装置１０は、スケジュール情報設定部１１と、ＧＰＳ情報取得部１２と、第１の送信部１３と、第１の受信部１４と、アラーム報知時刻設定部１５と、を備える。
【００３３】
スケジュール情報設定部１１は、開始時刻と到着場所を含むスケジュール情報を設定する。具体的には、ユーザは、携帯端末装置１０を操作して、スケジュール機能を起動させる。スケジュール情報設定部１１は、ユーザの操作に応じて、イベントの開示時刻（Ｔ）と、到着場所（Ｐ）であるそのイベントの開催場所の情報をスケジュールＤＢ１６に登録する。なお、本実施例では、イベントの開始時刻（Ｔ）は、年月日と時刻（例えば、「２０１１年１１月４日  １３：００」）で登録されるものとして説明するが、時刻のみ（例えば、「１３：００」）で登録されても良い。
【００３４】
ＧＰＳ情報取得部１２は、ＧＰＳ情報（ＬＳ）を取得する。
第１の送信部１３は、スケジュールＤＢ１６に登録されているスケジュール情報と、ＧＰＳ情報（ＬＳ）を基地局２０に送信する。なお、スケジュール情報と、ＧＰＳ情報（ＬＳ）を基地局２０に送信するタイミングは、スケジュール情報がスケジュールＤＢ１６に登録されたタイミングでも良いし、イベントの開始時刻（Ｔ）に基づいて、イベントの当日になったタイミングでも良い。なお、本実施形態では、第１の送信部１３がスケジュールＤＢ１６からスケジュール情報を読み出す構成としたがこれに限られず、読出部（不図示）がスケジュールＢ１６からスケジュール情報を読み出す構成であっても良い。
【００３５】
第１の受信部１４は、基地局２０から送信されてきた運行情報（Ａ）を受信する。アラーム報知時刻設定部１５は、運行情報（Ａ）に基づいて、アラームの報知時刻を設定する。
【００３６】
基地局２０は、第２の受信部２１と、第２の送信部２２と、を備える。
第２の受信部２１は、携帯端末装置１０からスケジュール情報とＧＰＳ情報（ＬＳ）を受信する。第２の送信部２２は、スケジュール情報とＧＰＳ情報（ＬＳ）をサーバ３０に送信する。
【００３７】
サーバ３０は、第３の受信部３１と、推定部３２と、取得部３３と、第３の送信部３４と、を備える。
第３の受信部３１は、第２の送信部２２から送信されてきたスケジュール情報とＧＰＳ情報（ＬＳ）を受信する。
【００３８】
推定部３２は、スケジュール情報に含まれている到着場所（Ｐ）と、ＧＰＳ情報（ＬＳ）からユーザの移動手段を推定する。具体的には、推定部３２は、到着場所が名称（例えば、「特許庁」）で示されていて、住所が分からない場合には、住所録ＤＢ３５を参照して、到着場所の名称に基づいて住所（例えば、「東京都千代田区霞が関三丁目４番３号」）を抽出する。なお、推定部３２は、実際の住所ではなく経緯度情報（緯度（北緯）  ３５度４０分１５．４７秒（３５．６７０９６４）、経度（東経）  １３９度４４分４５．２２６秒（１３９．７４５８９６））を抽出しても良い。
【００３９】
また、推定部３２は、到着場所（Ｐ）とＧＰＳ情報（ＬＳ）に基づき、例えば、経路（ルート）検索を行って、ＧＰＳ情報（ＬＳ）に対応する現在位置（例えば、「新大阪駅」）から到着場所（例えば、「特許庁」）までの経路（例えば、「新大阪駅→（のぞみ）→品川→（東海道本線）→新橋→（銀座線）→虎ノ門」）を抽出し、移動手段（例えば、「のぞみ」）を推定する。
【００４０】
取得部３３は、スケジュール情報に含まれている開始時刻（Ｔ）と、現在の時刻に基づいて、移動手段の運行情報（Ａ）を取得する。具体的には、取得部３３は、開始時刻（Ｔ）が「２０１１年１１月４日  １３：００」であり、現在時刻が「２０１１年１１月４日  １０：００」の場合、運行管理ＤＢ３６を参照して、移動手段（例えば、のぞみ）の運行情報（例えば、「新大阪９時４７分出発、品川駅１２時３２分到着」）を取得する。
第３の送信部３４は、運行情報（Ａ）を基地局２０に送信する。
【００４１】
基地局２０の第２の受信部２１は、第３の送信部３４から送信されてきた運行情報（Ａ）を受信する。そして、第２の送信部２２は、運行情報（Ａ）を携帯端末装置１０に送信する。
【００４２】
携帯端末装置１０のアラーム報知時刻設定部１５は、第２の送信部２２から送信されてきた運行情報（Ａ）に基づいて、移動手段が所定の停車場所に停車する停車時刻を求め、当該停車時刻から所定時間だけ遡った時刻を、アラームの報知時刻として設定する。
【００４３】
具体的には、アラーム報知時刻設定部１５は、運行情報（例えば、「新大阪９時４７分出発、品川駅１２時３２分到着」）に基づいて、移動手段が所定の停車場所（例えば、品川駅）に１２時３２分に到着することを求め、例えば、到着の１０分前である１２時２２分をアラームの報知時刻に設定する。
【００４４】
このようにして、通信システム１は、スケジュール機能とアラーム機能の連携を強化して、ユーザの操作負担の軽減を図りつつ、乗り過ごしを防止することができる。
【００４５】
また、上述では、通信システム１の構成と動作について説明したが、これに限られず、各構成要素を備え、乗り過ごしを防止するための制御方法や、プログラムとして構成されても良い。
【００４６】
また、携帯端末装置１０は、アラーム報知時刻設定部１５による設定が完了してから、所定時間経過後に、ＧＰＳ情報取得部１２により取得させた現在のＧＰＳ情報（ＬＳ）と、スケジュール情報設定部１１に設定されている現在のスケジュール情報とを、第１の送信部１３から基地局２０に送信するように制御するポーリング管理部１７を備える構成でも良い。なお、運行管理ＤＢ３６は、移動手段の運営及び管理を行う機関により、所定間隔で運行情報（Ａ）が更新されるものとする。
【００４７】
このような構成によれば、通信システム１は、運行情報（Ａ）を所定時間の間隔で更新するので、例えば、移動手段の遅延や事故による不測の事態によって、変更された最新の運行情報（Ａ）に基づいてアラームの報知時刻を変更することができる。よって、通信システム１は、乗り過ごしを防止できるとともに、アラームを報知するタイミングを最新の運行情報（Ａ）に基づいて調整することができる。
【００４８】
また、サーバ３０は、運行管理ＤＢ３６が更新されたタイミングで、プッシュ型通信を利用して、基地局２０を介して携帯端末装置１０に運行情報（Ａ）を送信する構成でも良い。プッシュ型通信とは、ショートメッセージを用いたデータ通信や、Ｃ２ＤＭ（Ｃｌｏｕｄ  ｔｏ  Ｄｅｖｉｃｅ  Ｍｅｓｓａｇｉｎｇ）機能を用いた通信をいう。このような構成の場合には、通信システム１は、ほぼ遅延せずに、最新の運行情報（Ａ）に基づいてアラームの報知時刻を変更することができる。
【００４９】
また、ポーリング管理部１７は、ＧＰＳ情報（ＬＳ）に基づいて、スケジュール情報に含まれている到着場所と現在位置の距離に基づいて、所定時間の間隔を伸長又は短縮する構成でも良い。
【００５０】
このような構成によれば、通信システム１は、例えば、現在位置が到着場所に接近するほど所定の時間間隔を短縮することにより、正確な運行情報（Ａ）に基づいてアラームの報知時刻を修正することができるので、正確に乗り過ごしを防止することができる。また、通信システム１は、例えば、現在位置が到着場所から遠いほど所定の時間間隔を伸長することにより、処理負担の軽減を図ることができる。
【００５１】
また、携帯端末装置１０は、スケジュール情報設定部１１によるスケジュール設定が削除された場合には、アラーム報知時刻設定部１５により設定されているアラームを解除するアラーム解除部１８を備える構成でも良い。
【００５２】
このようにして通信システム１は、ユーザがスケジュールの削除操作を行ったことに連動してアラームを解除するので、スケジュールが無くなったのに設定時刻にアラームが報知されるような状況を回避することができる。
【００５３】
（第２実施形態）
通信システム１は、ＧＰＳ情報取得部１２を備えない構成でも良い。このような場合には、通信システム１は以下のような構成になる。
【００５４】
携帯端末装置１０は、図２に示すように、スケジュール情報設定部１１と、第１の送信部１３と、第１の受信部１４と、アラーム報知時刻設定部１５と、を備える。
【００５５】
スケジュール情報設定部１１は、開始時刻と到着場所を含むスケジュール情報を設定する。具体的には、ユーザは、携帯端末装置１０を操作して、スケジュール機能を起動させる。スケジュール情報設定部１１は、ユーザの操作に応じて、イベントの開示時刻（Ｔ）と、到着場所（Ｐ）であるそのイベントの開催場所の情報をスケジュールＤＢ１６に登録する。なお、本実施例では、イベントの開始時刻（Ｔ）は、年月日と時刻（例えば、「２０１１年１１月４日  １３：００」）で登録されるものとして説明するが、時刻のみ（例えば、「１３：００」）で登録されても良い。
【００５６】
第１の送信部１３は、スケジュール情報を基地局２０に送信する。
第１の受信部１４は、基地局２０から送信されてきた運行情報（Ａ）を受信する。
アラーム報知時刻設定部１５は、運行情報（Ａ）に基づいて、アラームの報知時刻を設定する。
【００５７】
基地局２０は、第２の受信部２１と、第２の送信部２２と、記憶部２３と、読出部２４と、を備える。
第２の受信部２１は、携帯端末装置１０からスケジュール情報を受信する。記憶部２３は、自身を示す固有の識別情報（ＬＢ）を記憶している。
【００５８】
読出部２４は、記憶部２３から識別情報（ＬＢ）を読み出す。読出部２４は、例えば、第２の受信部２１でスケジュール情報を受信したタイミングで、識別情報（ＬＢ）を記憶部２３から読み出し、第２の送信部２２に送信する。
【００５９】
第２の送信部２２は、スケジュール情報とともに読出部２４で読み出した識別情報（ＬＢ）をサーバ３０に送信する。
【００６０】
サーバ３０は、第３の受信部３１と、取得部３３と、第３の送信部３４と、検索部３７と、第１の推定部３８と、第２の推定部３９と、を備える。
第３の受信部３１は、第２の送信部２２から送信されてきたスケジュール情報と識別情報（ＬＢ）を受信する。
【００６１】
検索部３７は、識別情報（ＬＢ）に基づいて、基地局２０の配置場所情報を検索する。具体的には、検索部３７は、基地局２０の識別情報（ＬＢ）と配置場所情報（例えば、経緯度情報）が対応付けられているテーブルを参照して、配置場所情報を検索する。
【００６２】
第１の推定部３８は、配置場所情報に基づいて、携帯端末装置１０の現在位置を推定する。第１の推定部３８による現在位置の推定は、基地局２０のエリアのどこかに携帯端末装置１０があることが分かるので、例えば、基地局を切り替えるハンドオフの情報から移動方向を求め、携帯端末装置１０の現在位置を推定する構成でも良い。
【００６３】
第２の推定部３９は、スケジュール情報に含まれている到着場所と、推定した携帯端末装置１０の現在位置からユーザの移動手段を推定する。具体的には、第２の推定部３９は、到着場所（Ｐ）と携帯端末装置１０の現在位置に基づき、例えば、経路（ルート）検索を行って、携帯端末装置１０の現在位置（例えば、「新大阪駅」）から到着場所（例えば、「特許庁」）までの経路（例えば、「新大阪駅→（のぞみ）→品川→（東海道本線）→新橋→（銀座線）→虎ノ門」）を抽出し、移動手段（例えば、「のぞみ」）を推定する。
【００６４】
取得部３３は、スケジュール情報に含まれている開始時刻（Ｔ）と、現在の時刻に基づいて、移動手段の運行情報（Ａ）を取得する。具体的には、取得部３３は、開始時刻（Ｔ）が「２０１１年１１月４日  １３：００」であり、現在時刻が「２０１１年１１月４日  １０：００」の場合、運行管理ＤＢ３６を参照して、移動手段（例えば、のぞみ）の運行情報（例えば、「新大阪９時４７分出発、品川駅１２時３２分到着」）を取得する。
第３の送信部３４は、運行情報（Ａ）を基地局２０に送信する。
【００６５】
基地局２０の第２の受信部２１は、第３の送信部３４から送信されてきた運行情報（Ａ）を受信する。そして、第２の送信部２２は、運行情報（Ａ）を携帯端末装置１０に送信する。
【００６６】
携帯端末装置１０のアラーム報知時刻設定部１５は、第２の送信部２２から送信されてきた運行情報（Ａ）に基づいて、移動手段が所定の停車場所に停車する停車時刻を求め、当該停車時刻から所定時間だけ遡った時刻を、アラームの報知時刻として設定する。
【００６７】
具体的には、アラーム報知時刻設定部１５は、運行情報（例えば、「新大阪９時４７分出発、品川駅１２時３２分到着」）に基づいて、移動手段が所定の停車場所（例えば、品川駅）に１２時３２分に到着することを求め、例えば、到着の１０分前である１２時２２分をアラームの報知時刻に設定する。
【００６８】
このようにして、通信システム１は、スケジュール機能とアラーム機能の連携を強化して、ユーザの操作負担の軽減を図りつつ、乗り過ごしを防止することができる。
【００６９】
また、通信システム１は、基地局２０の配置場所情報から携帯端末装置１０の現在位置を推定するので、携帯端末装置１０にＧＰＳの取得機能が無い場合や、当該機能があってもＧＰＳ情報を取得することができない場合でも、アラームの報知時刻を設定することができる。
【００７０】
また、第２実施形態に係る通信システム１も第１実施形態と同様に、ポーリング管理部１７や、アラーム解除部１８を備える構成であっても良い。
【００７１】
また、上述では、通信システム１の構成と動作について説明したが、これに限られず、各構成要素を備え、乗り過ごしを防止するための制御方法や、プログラムとして構成されても良い。
【００７２】
また、第１実施形態と第２実施形態では、移動手段が所定の停車場所に到着する到着時間よりも所定時間前にアラームを報知することにより、乗り過ごしを防止するものとして説明したが、これに限られず、出発時間や、移動手段の乗り換え時間を報知するアラームの設定も併せて行っても良い。さらに、通信システム１は、例えば、予定していた出発時刻になってもユーザが移動していない場合には、イベントの開始時刻に間に合う経路を検索し、当該検索の結果に基づいて、出発時間等のアラームを設定する構成でも良い。
【００７３】
このような構成によれば、通信システム１は、ユーザを確実にイベントの開催場所まで時間通りに誘導することが可能になる。
【００７４】
また、通信システム１は、サーバ３０に予めユーザの帰宅場所と携帯端末装置１０についての情報が登録されていることを条件に、地震等の災害時において、サーバ３０からプッシュ型通信を利用して利用可能な運行情報（Ａ）と経路情報を携帯端末装置１０に送信し、移動手段に乗り遅れたり、乗り過ごしを防止するアラームを報知する構成でも良い。
【００７５】
このような構成によれば、通信システム１は、ユーザを確実に帰宅場所まで誘導することが可能になる。
【符号の説明】
【００７６】
１  通信システム
１０  携帯端末装置
１１  スケジュール情報設定部
１２  ＧＰＳ情報取得部
１３  第１の送信部
１４  第１の受信部
１５  アラーム報知時刻設定部
１６  スケジュールＤＢ
１７  ポーリング管理部
２０  基地局
２１  第２の受信部
２２  第２の送信部
３０  サーバ
３１  第３の受信部
３２  推定部
３３  取得部
３４  第３の送信部
３５  住所録ＤＢ
３６  運行管理ＤＢ
【図１】
2013135299.tif 000003
【図２】
2013135299.tif 000004